(57)【要約】【課題】組立て時における煩雑な作業を効率化すると共に、単純な構造で紙送りローラの軸調整を簡単に行うことができる紙送りローラの軸調整機構を提供するものである。【解決手段】プレスローラのシャフト軸５０を軸受部材５２及び軸調整部材５３で支持する。軸調整部材５３は、本体フレームに突設した２つのピン５４に嵌合してネジ５５により固定する。軸調整部材５３には、設定軸受部及び調整軸受部が形成されており、組立て時には、シャフト軸５０を設定軸受部に取り付けて組立て、軸調整が必要な場合には、調整軸受部に移し替えて調整を行うようにする。【選択図】　　　　図２
2004106981.tif 000002
【特許請求の範囲】
【請求項１】
複数の紙送りローラを支持するシャフト軸と、該シャフト軸の一方の端部を軸支する軸受部材と、前記シャフト軸の他方の端部を軸支する軸調整部材とを備えた紙送りローラの軸調整機構であって、前記軸調整部材は、予め設定された方向に前記シャフト軸を軸支する設定軸受部と、前記シャフト軸の方向を調整可能な調整軸受部を有することを特徴とする紙送りローラの軸調整機構。
【請求項２】
前記軸調整部材は、基体に突出した２本のピンに着脱自在に取り付けられていることを特徴とする請求項１に記載の紙送りローラの軸調整機構。
【請求項３】
前記軸調整部材は、前記設定軸受部を使用する際に前記２本のピンに嵌合する２つの設定穴部と、前記調整軸受部を使用する際に前記２本のピンに嵌合する２つの調整穴部とを有することを特徴とする請求項２に記載の紙送りローラの軸調整機構。
【請求項４】
前記２つの調整穴部のうち一方の調整穴部が長穴に形成されており、他方の調整穴部に嵌合した前記ピンを中心に前記軸調整部材が回動することで軸調整されることを特徴とする請求項３に記載の紙送りローラの軸調整機構。
【発明の詳細な説明】
【０００１】
【発明の属する技術分野】
本発明は、複写機、ファクシミリ装置などの原稿送り装置及び用紙搬送装置に用いられる紙送りローラの軸調整機構に関する。
【０００２】
【従来の技術】
上述した原稿送り装置及び用紙搬送装置では、搬送路に沿って紙送りローラを配置し、紙送りローラで原稿や用紙を挟持して搬送するようにされている。原稿や用紙を搬送路に沿って正確に搬送するには、紙送りローラを正確に位置設定しておく必要がある。しかしながら、こうした装置は多くの部品から組み立てられているため、それぞれの部品自体の製造誤差や組立て時に誤差が生じるため、紙送りローラが設計通りに位置決めされないことが多い。したがって、紙送りローラの位置調整を行う機構を設けて、原稿や用紙が正確に搬送されない場合に紙送りローラを調整することが行われている。
【０００３】
例えば、特許文献１では、原稿自動搬送装置において、原稿の反転搬送路の下ガイドコロを取り付けた下ガイドの両端部を支点板に取り付ける際に一方の端部に原稿の搬送方向に移動調整可能な構造を設けた点が記載されている。こうした調整構造を設けることで、原稿が斜行して搬送されている場合に下ガイドコロの位置を搬送方向に適宜調整して補正することが可能となる旨記載されている。
【０００４】
また、特許文献２では、用紙搬送装置のプレスローラのシャフト軸を支持ブラケットに対して用紙搬送方向に遊びのないように支持し、支持ブラケットをステイに設けたベースブラケットに取り付ける際に固定ネジ及び調整ネジを用いて取り付け、プレスローラのシャフト軸の軸位置を変化可能に装着するようにした点が記載されている。
【０００５】
【特許文献１】
特許第３０９３３３６号公報
【特許文献２】
特開２００１−２６３３３４号公報
【０００６】
【発明が解決しようとする課題】
上述した従来技術においては、調整ネジ等で紙送りローラの支持機構を取り付けて、調整ネジを緩めることで紙送りローラの回転軸を位置調整して用紙搬送時の斜行補正を行っているが、装置の組立工程時から調整ネジによる調整を行う必要があり、組立工程が煩雑であった。すなわち、紙送りローラを初期設定で位置決めする際にも当然調整ネジによる位置決めが必要になり、そのための工程が加わると共に、装置を組み立てた後にも再度調整する必要がある。こうした調整作業は、調整ネジを緩める−位置調整を行う−調整ネジを締める、といった煩雑な作業となるため、効率が悪い。
【０００７】
そこで、本発明は、こうした従来の装置の組立て時における煩雑な作業を効率化すると共に、単純な構造で紙送りローラの軸調整を簡単に行うことができる紙送りローラの軸調整機構を提供するものである。
【０００８】
【課題を解決するための手段】
本発明に係る紙送りローラの軸調整機構は、複数の紙送りローラを支持するシャフト軸と、該シャフト軸の一方の端部を軸支する軸受部材と、前記シャフト軸の他方の端部を軸支する軸調整部材とを備えた紙送りローラの軸調整機構であって、前記軸調整部材は、予め設定された方向に前記シャフト軸を軸支する設定軸受部と、前記シャフト軸の方向を調整可能な調整軸受部を有することを特徴とする。さらに、前記軸調整部材は、基体に突出した２本のピンに着脱自在に取り付けられていることを特徴とする。さらに、前記軸調整部材は、前記設定軸受部を使用する際に前記２本のピンに嵌合する２つの設定穴部と、前記調整軸受部を使用する際に前記２本のピンに嵌合する２つの調整穴部とを有することを特徴とする。さらに、前記２つの調整穴部のうち一方の調整穴部が長穴に形成されており、他方の調整穴部に嵌合した前記ピンを中心に前記軸調整部材が回動することで軸調整されることを特徴とする。
【０００９】
上記のような構成を有することで、装置の組立て時の調整作業が不要となり、組立て作業を効率化できると共に、必要な時のみシャフト軸を調整軸受部に移し替えて調整できるので、簡単に軸調整を行うことができる。すなわち、紙送りローラを組み立てる際には、一方の端部を軸受部材に装着すると共に、まず他方の端部を軸調整部材の設定軸受部に装着する。設定軸受部は、調整可能な機構は備えていないため、位置調整作業を行う必要はなく、ワンタッチで装着することができ、予め設定された方向にシャフト軸が設定される。そして、装置の組立て後に用紙等の搬送動作の検査を行って、調整が必要な場合にのみシャフト軸を設定軸受部から調整軸受部に移し替えて装着し、軸の位置調整を行えばよい。また、軸受自体を調整するので、その構造も単純化することが可能となる。すなわち、軸調整部材を基体に設けた２本のピンに着脱自在に取り付けるようにすることで、取り付け作業を簡略化することができる。また、その２本のピンに軸調整部材の設定穴部及び調整穴部を嵌合して取り付けるようにすれば、設定軸受部の位置決めと調整軸受部の位置決めを簡単に行うことができ、軸調整が必要な場合において調整軸受部への移し替えを行う際にその調整作業を容易に行うことが可能となる。さらに、調整穴部の一方を長穴とすることで、他方の穴部を中心に軸調整部材を回動させて軸調整を行うことで、単純な構造で軸調整を行うことができる。
【００１０】
【発明の実施の形態】
以下、本発明に係る実施形態について詳しく説明する。図１は、本発明に係る紙送りローラ軸調整機構を取り付ける画像形成装置全体の概略断面図を示している。画像形成装置の上部には原稿搬送部１及び原稿を読み取る原稿読取部２が配置され、その下部に画像を記録する記録部３、画像を記録する用紙を搬送する用紙搬送部４及び２つの給紙部５、６が配されている。
【００１１】
原稿搬送部１では、原稿トレイ１０、ピックアップローラ１１、セパレートローラ１２及びリタードローラ１３により原稿が搬入される。すなわち、原稿トレイ１０に載置された原稿がピックアップローラ１１により引き込まれ、セパレートローラ１２及びリタードローラ１３の間に原稿の先端が挟持される。セパレートローラ１２は時計回りに回転して原稿を引き込むように動作するが、リタードローラ１３も時計回りに回転して原稿を引き込まないように動作するため、原稿の二重送りが防止されて原稿が１枚ずつ搬入される。次に、原稿は、フィードローラ１４及びプレスローラ１５に挟持されて搬送され、ガイドに沿ってフィードローラ１６及びプレスローラ１７の間に原稿の先端が到達する。ここで、検知センサにより原稿の先端が検知されると、フィードローラ１６が搬送を開始し、フィードローラ１８及びプレスローラ１９の間に原稿の先端が挟持されて一定速度で原稿は搬送される。その間にプラテン２３において原稿読取部２により原稿が読み取られる。こうして搬送されて読み取られた原稿は、排出ローラ２０及びプレスローラ２１の間に搬送されて原稿排出トレイ２２に搬出される。
【００１２】
原稿読取部２では、ランプ２４によりプラテン２３に向けて光を照射して原稿からの反射光をミラーでＣＣＤ２５に導き電気信号に変換される。
【００１３】
記録部３では、用紙搬送部４により搬送された用紙に記録するために、トナー器２６、帯電ブラシ２９、感光体ドラム３０、転写ローラ３１、露光ヘッド３２び定着ローラ３３が備えられている。まず、感光体ドラム３０の表面を帯電ブラシ２９により一様に帯電させ、帯電された感光体ドラム３０に露光ヘッド３２で画像記録信号に応じて露光することで静電潜像を形成する。次に、トナー器２６内のトナーを供給ローラ２７から現像ローラ２８を介して感光体ドラム３０に形成された静電潜像に転移させて可視像化し、転写ローラ３１により感光体ドラム３０表面に形成されたトナー像を用紙に転写する。そして、転写されたトナー像は、定着ローラ３３及びプレスローラ３４によって挟持されて加熱・プレスされ用紙に定着される。
【００１４】
用紙搬送部４では、各給紙部５及び６の給紙カセット４３内に積載された用紙がピックアップローラ３５によって引き込まれ、フィードローラ３６及びプレスローラ３７の間に挟持されて搬送される。搬送された用紙は用紙ガイドに沿って搬送され、フィードローラ３８及びプレスローラ３９の間に挟持されて記録部３に搬送される。記録部３に搬送された用紙は、上述したように転写ローラ３１及び感光体ドラム３２の間を搬送されてトナー像が転写され、定着ローラ３３及びプレスローラ３４の間に挟持されてトナー像が定着されて、排出ローラ４０及びプレスローラ４１の間に挟持されて用紙排出トレイ４２に搬出される。
【００１５】
以上のような画像形成装置の原稿搬送部１及び用紙搬送部４において、プレスローラの軸調整機構に関して以下に詳述する。図２は、プレスローラを取り付けた状態を示す平面図である。プレスローラは、シャフト軸５０に円柱状に成形された複数のローラ５１が固定されて構成される。図示しない本体フレームに固設された軸受部材５２と、本体フレームから突設するとともにシャフト軸の設定方向に配列された２つのピン５４と、２つのピン５４に嵌合してネジ５５により固定された軸調整部材５３とが設けられており、シャフト軸５０の一方の端部が軸受部材５２に取り付けられ、他方の端部が軸調整部材５３に取り付けられる。
【００１６】
図５は、軸調整部材５３の詳細な構造を示している。図５（ａ）がその平面図を、図５（ｂ）がその側面図を示している。軸調整部材５３は、基板５７と、基板５７の側辺からほぼ直角に立設された支持板５６とからなる。支持板５６には、その上部に調整軸受部５８及び設定軸受部５９が形成されている。調整軸受部５８及び設定軸受部５９は、２つの切欠き部からなり、いずれもシャフト軸５０が嵌め込まれて支持可能なようにその切欠きの間隔が設定されている。
【００１７】
基板５７には、調整穴部６０及び６１が穿設されており、その間にはネジ５５が挿入される貫通孔６２が穿設されている。貫通孔６２と調整穴部６０及び６１は支持板５６とほぼ直交する方向に配列されて設けられている。調整穴部６０及び貫通孔６２はほぼ円形状に形成されており、調整穴部６１は、調整穴部６０を中心として描いた円周上に支持板５６に沿って延びた長孔に形成されている。そして、調整穴部６０，６１、貫通孔６２に隣接してそれぞれ設定穴部６３，６４、貫通孔６５が同様に穿設されている。貫通孔６５と設定穴部６３及び６４は支持板５６とほぼ直交する方向に配列されて設けられており、貫通孔６５は、ネジ５５が挿入可能に形成されている。設定穴部６３及び貫通孔６５はほぼ円形状に形成されており、設定穴部６４は、支持板５６とほぼ直交する方向に延びた長孔に形成されている。
【００１８】
プレスローラを組み立てる際には、軸調整部材５３は、図２に示すように、設定穴部６３及び６４に２つのピン５４を嵌合し、貫通孔６５にネジ５５を挿入して本体フレームに固定される。シャフト軸５０は、軸受部材５２に一方の端部を取り付け、他方の端部を軸調整部材５３の設定軸受部５９に取り付ける。
【００１９】
この際、設定穴部６３は、ピン５４とほぼ同形状の円形に形成されているため、がたつくことはない。設定穴部６４は、支持板５６とほぼ直交する方向に延びた長孔に形成されているので、設定穴部６３及び６４の間隔と２つのピン５４の間隔が少々ずれていても問題なく軸調整部材５３を装着することができる。また、設定穴部６４は、シャフト軸の設定方向である２つのピン５４の配列方向と直交する方向にはがたつかないように、ピン５４の径とほぼ同じ幅に形成されている。したがって、軸調整部材５３を２つのピン５４に嵌合してネジ５５により本体フレームに固定すれば、軸受部材５２及び設定軸受部５９によって、シャフト軸５０は、設定方向に装着されるため、組立作業を非常に簡単に行うことができる。
【００２０】
次に軸調整が必要となった場合について説明する。軸調整が必要な場合とは、例えば、原稿の読取時やトナー像の用紙への転写時に正確に原稿や用紙が搬送されていない場合で、上述したようにシャフト軸を設定方向に取り付けたとしても、部品の製造誤差や組立て誤差により斜行して搬送されることがある。特に、原稿搬送装置が上部カバー内に設けられて開閉するタイプのように、可動部分が多くなると、その分誤差が大きくなることは避けられない。こうした場合に、プレスローラの軸調整を行い、斜行の補正を行う必要がある。
【００２１】
図３に示すように、一旦ネジ５５を取り外し、軸調整部材５３を２つのピン５４から外して、改めて調整穴部６０，６１に２つのピン５４を嵌合して装着する。そして、貫通孔６２にネジ５５を挿入して仮止めする。シャフト軸５０の他方の端部を調整軸受部５８に嵌め込んで取り付ける。調整穴部６０はピン５４とほぼ同形状の円形に形成されているためにがたつくことはないが、調整穴部６１は、調整穴部６０を中心として描いた円周上に支持板５６に沿って延びる長孔に形成されているので、軸調整部材５３は、ピン５４が嵌合した状態でも調整穴部６０に嵌合したピン５４を中心に回動可能にされている。また、調整軸受部５８の切欠き部分は、シャフト軸５０と点接触するように丸められているため、軸調整部材５８は、シャフト軸５０が装着した状態でも調整穴部６０に嵌合されたピン５４を中心にスムーズに回動することができる。例えば、図４に示すように、軸調整部材５３を反時計回りに回転させると、シャフト軸５０は軸受部材５２を中心に反時計回りに回転するので、図２に示す設定方向から傾いた方向に軸方向を調整することが可能となる。このように、軸調整部材５３を回動させてシャフト軸５０の軸方向を適宜調整して、ネジ５５を仮止めしておき、実際に原稿又は用紙を搬送させて搬送状態をチェックし、正確な搬送が行われたときにネジ５５を締め付けて軸調整部材５３を本体フレームに固定する。　以上のように、軸調整を行う際には、軸調整部材を調整穴部に嵌合してシャフト軸を調整軸受部に移し替えることで調整できるため、簡単な操作により調整作業を行うことが可能となる。
【００２２】
【発明の効果】
以上に説明したとおり、本発明は、装置の組立て時の調整作業が不要となり、組立て作業を効率化できると共に、必要な時のみシャフト軸を調整軸受部に移し替えて調整できるので、簡単に軸調整を行うことができる。すなわち、紙送りローラを組み立てる際には、一方の端部を軸受部材に装着すると共に、まず他方の端部を軸調整部材の設定軸受部に装着する。設定軸受部は、調整可能な機構は備えていないため、位置調整作業を行う必要はなく、ワンタッチで装着することができ、予め設定された方向にシャフト軸が設定される。そして、装置の組立て後に用紙等の搬送動作の検査を行って、調整が必要な場合にのみシャフト軸を設定軸受部から調整軸受部に移し替えて装着し、軸の位置調整を行えばよい。また、軸受自体を調整するので、その構造も単純化することが可能となる。すなわち、軸調整部材を基体に設けた２本のピンに着脱自在に取り付けるようにすることで、取り付け作業を簡略化することができる。また、その２本のピンに軸調整部材の設定穴部及び調整穴部を嵌合して取り付けるようにすれば、設定軸受部の位置決めと調整軸受部の位置決めを簡単に行うことができ、軸調整が必要な場合において調整軸受部への移し替えを行う際にその調整作業を容易に行うことが可能となる。さらに、調整穴部の一方を長穴とすることで、他方の穴部を中心に軸調整部材を回動させて軸調整を行うことで、単純な構造で軸調整を行うことができる。
【図面の簡単な説明】
【図１】本発明を用いる画像形成装置の概略断面図である。
【図２】本発明に係る実施形態の平面図及び側面図である。
【図３】本発明に係る実施形態の平面図及び側面図である。
【図４】本発明に係る実施形態の平面図及び側面図である。
【図５】本発明に係る実施形態の軸調整部材の平面図及び側面図である。
【符号の説明】
１　　原稿搬送部
２　　原稿読取部
３　　記録部
４　　用紙搬送部
５　　給紙部
６　　給紙部
７　　現像器
５０　　プレスローラのシャフト軸
５１　　ローラ
５２　　軸受部材
５３　　軸調整部材
５４　　ピン
５５　　ネジ
５６　　支持板
５７　　基板
５８　　調整軸受部
５９　　設定軸受部
６０　　調整穴部
６１　　調整穴部
６２　　貫通孔
６３　　設定穴部
６４　　設定穴部
６５　　貫通孔
【図１】
2004106981.tif 000003
【図２】
2004106981.tif 000004
【図３】
2004106981.tif 000005
【図４】
2004106981.tif 000006
【図５】
2004106981.tif 000007